(57)【要約】【課題】上記のリスクを回避し、かつ耐震性能を有したコンパクトなユニット型の防止装置を提供しようとするものである。【解決手段】構造物ａとその下側の基礎ｂとの間に設置される防振装置１の上部側を構成する上部受盤１２０をその下部側を構成する下部受盤１３０に揺動自在に取り付け、上部受盤１２０にストッパー芯１２３を延設し、ストッパー芯１２３の下端側の側周面を突起側周面１２３ａに形成し、貫通孔１３３ａを下部受盤１３０の下部受け板１３３に形成し、下部段差貫通孔１３３ｂを貫通孔１３３ａの下部に形成し、上部受盤１２０と下部受盤１３０の内部の皿ばね１４０を上下方向に弾持して取り付けた。【選択図】        図２
2019019850.tif 000002
【特許請求の範囲】
【請求項１】
構造物とその下側の基礎との間に設置される防振装置の上部側を構成する上部受盤をその下部側を構成する下部受盤に揺動自在に取り付け、上部受盤の内部中央から下向きにストッパー芯を延設し、ストッパー芯の下端側の側周面を側方に突出する突起側周面に形成し、ストッパー芯の下部側が遊嵌状に貫通する貫通孔を下部受盤の下部受け板に形成し、ストッパー芯の下端側の突起側周面と係合する下部段差貫通孔を貫通孔の下部に形成し、上部受盤と下部受盤の内部のストッパー芯の外周側に皿ばねを上下方向に弾持して取り付けたことを特徴とする構造物の防振装置。
【請求項２】
構造物とその下側の基礎との間に設置される防振装置の上部側を構成する上部受盤をその下部側を構成する下部受盤に揺動自在に取り付け、上部受盤の内部中央から下向きにストッパー芯を延設し、ストッパー芯の下端側の側周面を側方に突出する突起側周面に形成し、ストッパー芯の下部側が遊嵌状に貫通する貫通孔を下部受盤の下部受け板に形成し、ストッパー芯の下端側の突起側周面と係合する下部段差貫通孔を貫通孔の下部に形成し、上部受盤と下部受盤の内部のストッパー芯の外周側に巻きばねを上下方向に弾持して取り付け、巻きばねを減衰する減衰材を取り付けたことを特徴とする構造物の防振装置。
【請求項３】
構造物とその下側の基礎との間に設置される防振装置の上部側を構成する上部受盤をその下部側を構成する下部受盤に揺動自在に取り付け、上部受盤の内部中央から下向きにストッパー芯を延設し、ストッパー芯の下端側の側周面を側方に突出する突起側周面に形成し、ストッパー芯の下部側が遊嵌状に貫通する貫通孔を下部受盤に形成し、ストッパー芯の下端側の突起側周面と係合する下部段差貫通孔を貫通孔の下部に形成し、上部受盤と下部受盤の内部のストッパー芯の外周側に皿ばねを上下方向に弾持して取り付けたことを特徴とする構造物の防振装置。
【発明の詳細な説明】
【技術分野】
【０００１】
この発明は、構造物とその下側の基礎との間に設置されて構造物の防振などを果たす装置に係り、特に、防振機能、減衰機能、横移動防止機能及び転倒防止機能をコンパクトに備えた構造物の防振装置に関するものである。
【背景技術】
【０００２】
耐震性能を有した設備用防振装置として巻きばね９１０、減衰装置９２０、転倒ストッパー（鉛直）９３０、及び移動防止ストッパー（水平）９４０の各機構を組み合わせて使用している（図１０参照）。特に耐震設計を満足する設備機器には転倒ストッパー（鉛直）または移動防止ストッパー（水平）設置の指針が示されており、重要な機構である。
転倒ストッパー（鉛直）９３０はボルト式が採用されることが多い。
ストッパー調整は本体カバー９３１とナット部９３２の隙間調整Ｈにより行われている（図１１参照）。
地震等による水平荷重はボルト式転倒ストッパーまたは別途設置の移動防止ストッパーで受けている。
【先行技術文献】
【特許文献】
【０００３】
【特許文献１】特開２０００−５５１２３
【特許文献２】実開平５−９２５５１
【発明の概要】
【発明が解決しようとする課題】
【０００４】
上記の通り、ボルト式転倒ストッパーのストッパー調整は本体カバーとナット部の隙間調整方式になっており、適正な隙間管理が必要になる。
適正な管理が行われていない場合、通常運転時にストッパーに接触し、所定の防振性能が得られない。またはストッパー部の破損に至る可能性がある。
ボルト式転倒ストッパーのストッパー調整は本体カバーとナット部の隙間調整によるが、通常運転時にナットが緩む可能性があるため、定期的隙間管理が必要となる。
地震時による水平荷重はボルト式転倒ストッパーのネジ部で受ける構造となっており、ネジ部破損のリスクが高い。
【０００５】
この発明は、上記のような課題に鑑み、その課題を解決すべく創案されたものであって、その目的とするところは、上記のリスクを回避し、かつ耐震性能を有したコンパクトなユニット型の防止装置を提供しようとするものである。
【課題を解決するための手段】
【０００６】
以上の課題を達成するために、請求項１の発明は、構造物とその下側の基礎との間に設置される防振装置の上部側を構成する上部受盤をその下部側を構成する下部受盤に揺動自在に取り付け、上部受盤の内部中央から下向きにストッパー芯を延設し、ストッパー芯の下端側の側周面を側方に突出する突起側周面に形成し、ストッパー芯の下部側が遊嵌状に貫通する貫通孔を下部受盤の下部受け板に形成し、ストッパー芯の下端側の突起側周面と係合する下部段差貫通孔を貫通孔の下部に形成し、上部受盤と下部受盤の内部のストッパー芯の外周側に皿ばねを上下方向に弾持して取り付けた手段よりなるものである。
【０００７】
また、請求項２の発明は、構造物とその下側の基礎との間に設置される防振装置の上部側を構成する上部受盤をその下部側を構成する下部受盤に揺動自在に取り付け、上部受盤の内部中央から下向きにストッパー芯を延設し、ストッパー芯の下端側の側周面を側方に突出する突起側周面に形成し、ストッパー芯の下部側が遊嵌状に貫通する貫通孔を下部受盤の下部受け板に形成し、ストッパー芯の下端側の突起側周面と係合する下部段差貫通孔を貫通孔の下部に形成し、上部受盤と下部受盤の内部のストッパー芯の外周側に巻きばねを上下方向に弾持して取り付け、巻きばねを減衰する減衰材を取り付けた手段よりなるものである。
【０００８】
また、請求項３の発明は、構造物とその下側の基礎との間に設置される防振装置の上部側を構成する上部受盤をその下部側を構成する下部受盤に揺動自在に取り付け、上部受盤の内部中央から下向きにストッパー芯を延設し、ストッパー芯の下端側の側周面を側方に突出する突起側周面に形成し、ストッパー芯の下部側が遊嵌状に貫通する貫通孔を下部受盤に形成し、ストッパー芯の下端側の突起側周面と係合する下部段差貫通孔を貫通孔の下部に形成し、上部受盤と下部受盤の内部のストッパー芯の外周側に皿ばねを上下方向に弾持して取り付けた手段よりなるものである。
【発明の効果】
【０００９】
この発明によれば、皿ばねを使用することにより、皿ばねは荷重支持だけでなく、加減荷時の皿ばね間のヒステリシス特性（摩擦による荷重損失）による減衰効果を有しており、高い防振性能を発揮できる。
また、スペースメリット及び組み合わせ方法の変更による設計自由度の大きい点で優れている。
ストッパー芯は転倒ストッパー（鉛直）、及び移動防止ストッパー（水平）の両機構を併せ持っているので、地震時の鉛直荷重（引抜荷重）に対し、ストッパー芯の下部の突出側周面が下部受盤に係合して引っ掛かることにより機器の転倒を防止することができる。
また、地震時の水平荷重は横ばねであるストッパー芯にて受ける構造となっている。従って、ボルト式転倒ストッパーのようなネジ部破損等のリスクがない。
水平荷重をストッパー芯で受けた後、回転方向動作に返還、その後、ストッパー芯をガイドとして皿ばねまたは巻きばねが鉛直方向へ振幅し、防振性能を発揮することができる。
本願発明によれば、従来のようなストッパー調整を不要にすることができる。
機器設置後、皿ばねまたは巻きばねに初期たわみが生じる。この際、ストッパー芯と下部受盤の貫通孔との間に隙間が生じるので、この隙間の範囲で作動することができる。
このように本願発明によれば、コンパクトで安価な防振装置を提供することができる。
特に耐震基準を満たす必要がある建築設備機器への適用は有効である。
【図面の簡単な説明】
【００１０】
【図１】この発明を実施するための形態を示す防振装置を構造物と基礎との隙間に設置した概略側面図である。
【図２】この発明を実施するための形態−１を示す防振装置の断面図である。
【図３】この発明を実施するための形態−１を示す他例の防振装置の断面図である。
【図４】この発明を実施するための形態−２を示す防振装置の断面図である。
【図５】この発明を実施するための形態−２を示す他例の防振装置の断面図である。
【図６】この発明を実施するための形態−３を示す防振装置の断面図である。
【図７】（Ａ）はこの発明を実施するための形態−１〜２における防振装置の据え付け非旋回時の平面図である。  （Ｂ）はこの発明を実施するための形態−１〜２における防振装置の据え付け旋回時の平面図である。
【図８】（Ａ）はこの発明を実施するための形態−３における防振装置の据え付け非旋回時の平面図である。  （Ｂ）はこの発明を実施するための形態−３における防振装置の据え付け旋回時の平面図である。
【図９】（Ａ）はこの発明を実施するための形態−３における防振装置の据え付け非揺動時の側面図である。  （Ｂ）はこの発明を実施するための形態−３における防振装置の据え付け揺動時の側面図である。
【図１０】従来の防振装置を構造物と基礎との隙間に設置した概略側面図である。
【図１１】従来の防振装置の要部断面図である。
【発明を実施するための形態】
【００１１】
以下、図面に記載の発明を実施するための形態に基づいて、この発明をより具体的に説明する。
【００１２】
〈実施の形態−１〉
図１〜図３において、構造物の防振装置１は、構造物ａとその下側の基礎ｂとの間に設置されて構造物ａの防振などを果たすもので、特に、防振機能、減衰機能、横移動防止機能及び転倒防止機能をコンパクトに備えた装置である。この防振装置１は上部受盤１２０を下部受盤１３０に揺動自在に嵌合して取り付け、その内部には防振機能と減衰機能を果たす皿ばね１４０がその傾斜向きを交互に逆向きした状態で複数重ねられて内装されている。
【００１３】
上部受盤１２０は、上面及び側周面が閉塞され、下面が開口された筒状の形状で、例えば平面からみて円形の円筒形の外形を有している。上部受盤１２０の閉塞する上面には例えば円形環状の上部受け板１２１が取り付けられ、閉塞する側周面には上部側周面カバー１２２が取り付けられている。上部受け板１２１は、上部側の構造物ａを支える機能を果たす。上部側周面カバー１２２はその上部側の内周面が上部受け板１２１の外周面の上部側に溶接などで固設されている。上部受け板１２１には上部の構造物ａの下面側を支持連結するための複数のボルト取付孔１２１ａが円周方向に等間隔で形成されている。
【００１４】
下面が開口する例えば円筒形の上部受盤１２０の内部には、その円形環状の上部受け板１２１の中央に形成された孔内部に挿着されて下向きにストッパー芯１２３が延設されている。ストッパー芯１２３の上端は上部受け板１２１の中央孔周縁に例えば溶接などで固設されている。ストッパー芯１２３は弾性を有し、弾性の例えば金属材が使用され、下向きに延設されたストッパー芯１２３の下部側は横方向に僅かに弾性変位する。
【００１５】
下向きに延設されたストッパー芯１２３の下端は、上部受盤１２０の上部側周面カバー１２２の下端より下向きに突出するように形成されている。つまり上部側周面カバー１２２の上下長さよりストッパー芯１２３の上下長さの方が長い。また、上部側周面カバー１２２の下端よりさらに下向きに突出するストッパー芯１２３の下端側の側周面には、側方に突出する突起側周面１２３ａが形成されている。
【００１６】
この突起側周面１２３ａの側方に突起する上縁側が、後記の下部受け板１３３の貫通孔１３３ａと下部段差貫通孔１３３ｂとの境の段差周縁１３３ｃに当接して上下で係合することで、ストッパー芯１２３は上向きに抜け出ることが阻止され、このストッパー芯１２３の阻止を通じて上部受盤１２０は上方に移動するのが防がれて、上部受盤１２０に支持される構造物ａが転倒するのが防がれる。
【００１７】
また、突起側周面１２３ａの上部側のこれよりも直径が小さいストッパー芯１２３の側周面が、後記の下部受け板１３３の貫通孔１３３ａの内周側面に接触することで、ストッパー芯１２３は水平方向に移動することが阻止され、このストッパー芯１２３の阻止を通じて上部受盤１２０は水平方向に移動するのが防がれて、上部受盤１２０に支持される構造物ａが水平方向に横移動するのが防がれる。
【００１８】
下向きに延設されたストッパー芯１２３は例えば円筒形状の外形をしている。図２に示すストッパー芯１２３は、内部が中実でその上部中央には上部の構造物ａの下面側に支持連結するためのボルト取付孔１２３ｂが形成されている。なお、図３に示すストッパー芯１２３は、内部が上下向きに空洞１２３ｃに形成されていて、この場合にはボルト取付孔１２３ｂは形成されない。
【００１９】
上部受盤１２０の上部受け板１２１の上部側には構造物ａの下面側が位置しており、上部受け板１２１の上面には例えばレベル調整用シム１２４が敷かれる。上部受盤１２０の上部受け板１２１はこのレベル調整用シム１２４を介して構造物ａの下面を支持する構造になっている。レベル調整用シム１２４は上部受盤１２０の上部受け板１２１と構造物ａの下面との隙間高さを調整するものである。平面からみて上部受け板１２１が円形の場合、レベル調整用シム１２４も円形の形状を有している。
【００２０】
上部受け板１２１に形成された上記ボルト取付孔１２１ａと同じ箇所に対応するレベル調整用シム１２４にはボルト挿通孔１２４ａがそれぞれ形成されている。同様に、ストッパー芯１２３に形成された上記ボルト取付孔１２３ｂと同じ箇所に対応する上部側のレベル調整用シム１２４にはボルト挿通孔１２４ｂが形成されている。なお、図３に示すようにストッパー芯１２３の内部が上下向きに空洞１２３ｃが形成されている場合には、ボルト挿通孔１２４ｂは形成されない。
【００２１】
上部受け板１２１の下部側には例えば円形環状のスペーサー１２５が、この上部受け板１２１の下面に面タッチで当接するように取り付けられている。スペーサー１２５の中央の円形孔にはストッパー芯１２３の上部側が貫通している。スペーサー１２５はその下面が皿ばね１４０の上端を押止する機能を果たす。
【００２２】
上記上部受盤１２０と上下で嵌合する下部受盤１３０は、底面側及び側周面が閉塞され、上面が開口された筒状の形状で、下部受盤１３０の閉塞する底面側にはベースプレート１３１が取り付けられ、閉塞する側周面には下部側周面カバー１３２が取り付けられている。例えば平面からみてベースプレート１３１は長方形状の形状を有し、下部側周面カバー１３２は円筒形の外形を有している。この下部受盤１３０の内部にはその中央に下向きの上記ストッパー芯１２３の下端側の突起側周面１２３ａの周囲を囲む例えば円形環状の下部受け板１３３が取り付けられている。
【００２３】
下部受盤１３０のベースプレート１３１の下部側は構造物ａを支える基礎ｂになっており、ベースプレート１３１の下面には例えばパッキン１３４が装着される。下部受盤１３０のベースプレート１３１はこのパッキン１３４を介して構造物ａを支える基礎ｂに支持される構造になっている。平面からみてパッキン１３４はベースプレート１３１と同じ長方形の形状を有している。
【００２４】
下部側周面カバー１３２の内部側のベースプレート１３１の中央には、ストッパー芯１２３の下端の突起側周面１２３ａの外径よりも内径が大きな中央孔１３１ａが形成され、上方から下向きに延設されたストッパー芯１２３の下端側が接触しない構造になっている。また、下部側周面カバー１３２の外部側のベースプレート１３１の周囲には複数のアンカーボルト取付孔１３１ｂが形成されている。ベースプレート１３１は各アンカーボルト取付孔１３１ｂに取り付けられて基礎ｂに支持されるアンカーボルトにより、基礎ｂの上に固定される。
【００２５】
上面が開口する下部受盤１３０の例えば円筒形の下部側周面カバー１３２は、上記上部受盤１２０の上部側周面カバー１２２の内部に少し余裕をもってすっぽりと挿入される外径に形成されている。このため、下部受盤１３０に上方から嵌合する上部受盤１２０は、上下に振動する場合に、下部受盤１３０の下部側周面カバー１３２の外周面と上部受盤１２０の上部側周面カバー１２２の内周面が接触するのが防がれる。このため、下部受盤１３０の下部側周面カバー１３２が上部受盤１２０の上下振動の抵抗になることはない。下部受盤１３０の下部側周面カバー１３２の高さは、上部受盤１２０の上部側周面カバー１２２の高さより少し短い。
【００２６】
下部受盤１３０の内部となるベースプレート１３１の上面側には、中央のストッパー芯１２３の下部側を少し隙間をあけて囲む厚みのある下部受け板１３３が取り付けられている。つまり、平面からみて下部受け板１３３は、中央にストッパー芯１２３の下部側が少し隙間をあけて貫通する円形の貫通孔１３３ａが形成されている。また下部受け板１３３の円形の外周は下部受盤１３０の下部側周面カバー１３２の内周側面に密着している。下部受け板１３３は皿ばね１４０の下端を下側から支える。皿ばね１４０の下端を支える下部受け板１３３はその下側のベースプレート１３１によって支持される。
【００２７】
下部受け板１３３の貫通孔１３３ａの下部は、これより少し外径が大きい下部段差貫通孔１３３ｂが形成されている。上側の貫通孔１３３ａと下部段差貫通孔１３３ｂの境部分には、下向きに水平な段差周縁１３３ｃが形成されている。段差周縁１３３ｃは下向きになっている。貫通孔１３３ａの内径はストッパー芯１２３の中間側の側周面の外径より少し大きくて接触しない。その一方で貫通孔１３３ａの内径はストッパー芯１２３の突起側周面１２３ａの外径より小さい。この下向きの段差周縁１３３ｃに上記のストッパー芯１２３の突起側周面１２３ａの突起する上縁側が当接して上下で係合することで、上記したようにストッパー芯１２３が上向きに抜けるのが阻止されるのである。
【００２８】
上部受盤１２０と下部受盤１３０が上下で嵌合する内部で、上記ストッパー芯１２３の周りで下部側周面カバー１３２の内側となる空間には複数の皿ばね１４０が上下に交互に傾斜が逆向きの状態で重ねられて取り付けられている。すなわち、図面では、例えば、中央に向かって上向き傾斜の皿ばね１４０、その下側には中央に向かって下向き傾斜の皿ばね１４０、さらにその下側には再び上向き傾斜の皿ばね１４０が上下に計３個重ねられて取り付けられている。皿ばね１４０は前述したように、構造物ａに振動が伝わるのを防ぐ防振機能と、構造物に伝わる振動を弱める減衰機能を果たす。
【００２９】
皿ばね１４０は、ばねの振動により防振機能を果たす。これとともに皿ばね１４０は、中央に向かって上向き傾斜、或いはこれを逆にすると中央に向かって下向き傾斜する形状になっているため、上下に振動を受けた場合において、荷重が作用して上下方向に圧縮される場合の圧力増加の曲線と、荷重が抜けて圧縮されたものが元に戻る場合の圧力減少の曲線とは同じ曲線にならない。これが減衰機能を果たす。
【００３０】
すなわち、圧力増加の曲線は斜め直線に対してその上側の斜め凸状を描きながら増加していく。これに対し、圧力減少の曲線は斜め直線に対してその下側の斜め凹状を描きながら減少していく。この斜め直線に対する上側の斜め凸状曲線とその斜め直線に対する下側の斜め凹状曲線との差の分が減衰となるのである。なお、圧力増加曲線と圧力減少曲線が同じ曲線上をたどる場合には減衰機能は生じない。
【００３１】
次に、上記発明を実施するための形態−１の構成に基づく使用について以下説明する。
先ず、構造物の防振装置１の上部受盤１２０を上方から下部受盤１３０に嵌合し、上部受盤１２０と下部受盤１３０との間で、下部受盤１３０の下部受け板１３３の貫通孔１３３ａを中心に、上部受盤１２０のストッパー芯１２３を中心として所定の方向に旋回して、上部受盤１２０と下部受盤１３０を上下で一致させる。そのあと、防振装置１を構造物ａとその下側の基礎ｂとの隙間に設置する。
【００３２】
防振装置１の上部受盤１２０と上下に嵌合する下部受盤１３０を基礎ｂに固定する。基礎ｂにはアンカーボルトの先端側が突出しているので、その突出先端側が下部受盤１３０のベースプレート１３１の各アンカーボルト取付孔１３１ｂに挿通するように取り付け、ベースプレート１３１の各アンカーボルト取付孔１３１ｂから突出するアンカーボルトの先端側にナットを螺合して締め付けて、防振装置１の下部側の下部受盤１３０を基礎ｂの上に固定する。
【００３３】
基礎ｂに固定された防振装置１の上部側となる上部受盤１２０の上部受け板１２１の上にレベル調整用シム１２４を取り付け、その上に構造物ａの下面側を載せ、レベル調整用シム１２４によりレベル高さを調整する。それから、ボルトにより、構造物ａの下面側をレベル調整用シム１２４を載せた防振装置１の上部受盤１２０の上部受け板１２１に固定する。
【００３４】
この作業は、レベル調整用シム１２４、上部受け板１２１及びストッパー芯１２３のそれぞれ対応するボルト挿通孔１２４ａ，１２４ｂ、ボルト取付孔１２１ａ及びボルト取付孔１２３ｂに、その上方の構造物ａの下部側からボルトを貫通させ、上部受け板１２１のボルト取付孔１２１ａ及びストッパー芯１２３のボルト取付孔１２３ｂに螺合して締め付けて固定する。なお、ストッパー芯１２３に空洞１２３ｃが形成されている場合にはボルト取付孔１２３ｂ及びボルト挿通孔１２４ｂが形成されていないので、この孔へのボルトの螺合と締め付け作業はない。
以上取り付け作業により、構造物ａの下面と基礎ｂとの隙間に防振装置１が設置されることになる。
【００３５】
このようにして、構造物ａの下面と基礎ｂとの隙間に設置された防振装置１は、地震などが生じて基礎ｂから伝わる振動は、防振装置１の内部の皿ばね１４０が上下に振動することで、構造物ａに対して防振機能と減衰機能を達成して、構造物ａに作用する揺れを可能な限りに小さくすることができる。
【００３６】
また、構造物ａに上向きの外力が作用するときには、防振装置１の上部受盤１２０が上向きに力を受けて、上部受盤１２０の上部受け板１２１から下向きに延設したストッパー芯１２３は、その下端側が上向きに移動しようとするが、ストッパー芯１２３の下端側には突起側周面１２３ａが形成されているため、この突起側周面１２３ａの突出する上縁側が下部受盤１３０の下部受け板１３３に形成されている貫通孔１３３ａの段差周縁１３３ｃに当接することで、ストッパー芯１２３の上動が阻止される。つまり、ストッパー芯１２３を通じて下部受盤１３０の下部受け板１３３に上向きに作用する外力は、下部受盤１３０の下部受け板１３３がベースプレート１３１を通じて基礎ｂに固持されているために、阻止されるのである。
【００３７】
このため、上部受盤１２０は、このストッパー芯１２３を介して基礎ｂに固定されている下部受盤１３０に保持され、上方への移動が阻止されるので、構造物ａは上部受盤１２０及び下部受盤１３０からなる防振装置１により、上向き移動及びこれに伴う転倒が防止される。
【００３８】
さらに、構造物ａに横揺れが作用する場合にあっては、上部受盤１２０に下向きに延設されたストッパー芯１２３の下部側が下部受盤１３０の下部受け板１３３の貫通孔１３３ａに貫通していて、ストッパー芯１２３の下部側の側周面が貫通孔１３３ａの内周側面に当接することで、水平方向への移動が阻止されるので、構造物ａは上部受盤１２０及び下部受盤１３０からなる防振装置１により、水平向きの横移動が防止される。
【００３９】
〈実施の形態−２〉
図１、図４、図５において、構造物の防振装置３は、構造物ａとその下側の基礎ｂとの間に設置されて構造物ａの防振などを果たすもので、特に、防振機能、減衰機能、横移動防止機能及び転倒防止機能をコンパクトに備えた装置である。この防振装置３は上部受盤３２０を下部受盤３３０に揺動自在に嵌合して取り付け、その内部には防振機能と減衰機能を果たす巻きばね３４０及び減衰材３３６が上下方向に内装されている。
【００４０】
上部受盤３２０は、上面及び側周面が閉塞され、下面が開口された筒状の形状で、例えば平面からみて円形の円筒形の外形を有している。上部受盤３２０の閉塞する上面には例えば円形環状の上部受け板３２１が取り付けられ、閉塞する側周面には上部側周面カバー３２２が取り付けられている。上部受け板３２１は、上部側の構造物ａを支える機能を果たす。上部側周面カバー３２２はその上部側の内周面が上部受け板３２１の外周面の上部側に溶接などで固設されている。上部受け板３２１には上部の構造物ａの下面側を支持連結するための複数のボルト取付孔３２１ａが円周方向に等間隔で形成されている。
【００４１】
下面が開口する例えば円筒形の上部受盤３２０の内部には、その円形環状の上部受け板３２１の中央に形成された孔内部に挿着されて下向きにストッパー芯３２３が延設されている。ストッパー芯３２３の上端は上部受け板３２１の中央孔周縁に例えば溶接などで固設されている。ストッパー芯３２３は弾性を有し、弾性の例えば金属材が使用され、下向きに延設されたストッパー芯３２３の下部側は横方向に僅かに弾性変位する。
【００４２】
下向きに延設されたストッパー芯３２３の下端は、上部受盤３２０の上部側周面カバー３２２の下端より下向きに突出するように形成されている。つまり上部側周面カバー３２２の上下長さよりストッパー芯３２３の上下長さの方が長い。また、上部側周面カバー３２２の下端よりさらに下向きに突出するストッパー芯３２３の下端側の側周面には、側方に突出する突起側周面３２３ａが形成されている。
【００４３】
この突起側周面３２３ａの側方に突起する上縁側が、後記の下部受け板１３３の貫通孔１３３ａと下部段差貫通孔１３３ｂとの境の段差周縁１３３ｃに当接して上下で係合することで、ストッパー芯３２３は上向きに抜け出ることが阻止され、このストッパー芯３２３の阻止を通じて上部受盤３２０は上方に移動するのが防がれて、上部受盤３２０に支持される構造物ａが転倒するのが防がれる。
【００４４】
また、突起側周面３２３ａの上部側のこれよりも直径が小さいストッパー芯３２３の側周面が、後記の下部受け板１３３の貫通孔１３３ａの内周側面に接触することで、ストッパー芯３２３は水平方向に移動することが阻止され、このストッパー芯３２３の阻止を通じて上部受盤３２０は水平方向に移動するのが防がれて、上部受盤３２０に支持される構造物ａが水平方向に横移動するのが防がれる。
【００４５】
下向きに延設されたストッパー芯３２３は例えば円筒形状の外形をしている。図４に示すストッパー芯３２３は、内部が中実でその上部中央には上部の構造物ａの下面側に支持連結するためのボルト取付孔３２３ｂが形成されている。なお、図５に示すストッパー芯３２３は、内部に上下向きに空洞３２３ｃが形成されていて、この場合にはボルト取付孔３２３ｂは形成されない。
【００４６】
上部受盤３２０の上部受け板３２１の上部側には構造物ａの下面側が位置しており、上部受け板３２１の上面には例えばレベル調整用シム３２４が敷かれる。上部受盤３２０の上部受け板３２１はこのレベル調整用シム３２４を介して構造物ａの下面を支持する構造になっている。レベル調整用シム３２４は上部受盤３２０の上部受け板３２１と構造物ａの下面との隙間高さを調整するものである。平面からみて上部受け板３２１が円形の場合、レベル調整用シム３２４も円形の形状を有している。
【００４７】
上部受け板３２１に形成された上記ボルト取付孔３２１ａと同じ箇所に対応するレベル調整用シム３２４にはボルト挿通孔３２４ａがそれぞれ形成されている。同様に、ストッパー芯３２３に形成された上記ボルト取付孔３２３ｂと同じ箇所に対応する上部側のレベル調整用シム３２４にはボルト挿通孔３２４ｂが形成されている。なお、図５に示すようにストッパー芯３２３の内部に上下向きに空洞３２３ｃが形成されている場合には、ボルト挿通孔３２４ｂは形成されない。
【００４８】
上部受け板３２１の下部側には巻きばね３４０の上端側をガイドする例えば円形環状の上部ガイド３２５が、上部受け板３２１の下面に面タッチで当接するように取り付けられている。円形環状の上部ガイド３２５は、周縁側の円周平板３２５ａとその円周平板３２５ａの内側に下向きに形成された円周側板３２５ｂから形成されている。上部ガイド３２５の円周側板３２５ｂの内側となる中央の円形孔にはストッパー芯３２３の上部側が貫通している。上部ガイド３２５は円周平板３２５ａの下面が巻きばね３４０の上端を押止し、円周側板３２５ｂが巻きばね３４０の上端側の内周側面を押止して、水平方向に移動するのを阻止して保持する機能を果たす。
【００４９】
上記上部受盤３２０と上下で嵌合する下部受盤３３０は、底面側及び側周面が閉塞され、上面が開口された筒状の形状で、下部受盤３３０の閉塞する底面側にはベースプレート３３１が取り付けられ、閉塞する側周面には下部側周面カバー３３２が取り付けられている。例えば平面からみてベースプレート３３１は長方形状の形状を有し、下部側周面カバー３３２は円筒形の外形を有している。この下部受盤３３０の内部にはその中央に下向きの上記ストッパー芯３２３の下端側の突起側周面３２３ａの周囲を囲む例えば円形環状の下部受け板３３３が取り付けられている。
【００５０】
下部受盤３３０のベースプレート３３１の下部側は構造物ａを支える基礎ｂになっており、ベースプレート３３１の下面には例えばパッキン３３４が装着される。下部受盤３３０のベースプレート３３１はこのパッキン３３４を介して構造物ａを支える基礎ｂに支持される構造になっている。平面からみてパッキン３３４はベースプレート３３１と同じ長方形の形状を有している。
【００５１】
下部側周面カバー３３２の内部側のベースプレート３３１の中央には、ストッパー芯３２３の下端の突起側周面３２３ａの外径よりも内径が大きな中央孔３３１ａが形成され、上方から下向きに延設されたストッパー芯３２３の下端側が接触しない構造になっている。また、下部側周面カバー３３２の外部側のベースプレート３３１の周囲には複数のアンカーボルト取付孔３３１ｂが形成されている。ベースプレート３３１は各アンカーボルト取付孔３３１ｂに取り付けられて基礎ｂに支持されるアンカーボルトにより、基礎ｂの上に固定される。
【００５２】
上面が開口する下部受盤３３０の例えば円筒形の下部側周面カバー３３２は、上記上部受盤３２０の上部側周面カバー３２２の内部に少し余裕をもってすっぽりと挿入される外径に形成されている。このため、下部受盤３３０に上方から嵌合する上部受盤３２０は、上下に振動する場合に、下部受盤３３０の下部側周面カバー３３２の外周面と上部受盤３２０の上部側周面カバー３２２の内周面が接触するのが防がれる。このため、下部受盤３３０の下部側周面カバー３３２が上部受盤３２０の上下振動の抵抗になることはない。下部受盤３３０の下部側周面カバー３３２の高さは、上部受盤３２０の上部側周面カバー３２２の高さより少し短い。
【００５３】
下部受盤３３０の内部となるベースプレート３３１の上面側には、中央のストッパー芯３２３の下部側を少し隙間をあけて囲む厚みのある下部受け板３３３が取り付けられている。つまり、平面からみて下部受け板３３３は、中央にストッパー芯３２３の下部側が少し隙間をあけて貫通する円形の貫通孔３３３ａが形成されている。また下部受け板３３３の円形の外周は下部受盤３３０の下部側周面カバー３３２の内周側面に密着している。下部受け板３３３は、巻きばね３４０の下端を下部ガイド３３５及び減衰材３３６を介して下側から支える。巻きばね３４０の下端を下部ガイド３３５及び減衰材３３６を介して支える下部受け板３３３は、その下側のベースプレート３３１によって支持される。
【００５４】
下部受け板３３３の貫通孔３３３ａの下部は、これより少し直径が大きい下部段差貫通孔３３３ｂが形成されている。上側の貫通孔３３３ａと下部段差貫通孔３３３ｂの境部分には、下向きに水平な段差周縁３３３ｃが形成されている。段差周縁３３３ｃは下向きになっている。この下向きの段差周縁３３３ｃに上記のストッパー芯３２３の突起側周面３２３ａの突起する上縁側が当接して上下で係合することで、上記したようにストッパー芯３２３が上向きに抜けるのが阻止されるのである。
【００５５】
下部受け板３３３の上部側には巻きばね３４０の下端側をガイドする例えば円形環状の下部ガイド３３５が、下部受け板３３３の上面に設けられた減衰材３３６の上面に面タッチで当接するように取り付けられている。円形環状の下部ガイド３３５は、周縁側の円周平板３３５ａとその円周平板３３５ａの内側に上向きに形成された円周側板３３５ｂから形成されている。下部ガイド３３５の円周側板３３５ｂの内側となる中央の円形孔にはストッパー芯３２３の下部側が貫通している。下部ガイド３３５は円周平板３３５ａの上面が巻きばね３４０の下端を押止し、円周側板３３５ｂが巻きばね３４０の下端側の内周側面を押止して、水平方向に移動するのを阻止して保持する機能を果たす。
【００５６】
減衰材３３６は、下部受け板３３３の上面に面タッチで当接するように取り付けられている。減衰材３３６には例えば円形環状ゴムが使用されている。減衰材３３６は、周縁側の円周平板３３６ａとその円周平板３３６ａの内側に上向きに形成された円周側板３３６ｂから形成されている。下部ガイド３３５の円周側板３３６ｂの内側となる中央の円形孔にはストッパー芯３２３の下部側が貫通している。減衰材３３６には、その円周平板３３６ａの上面に下部ガイド３３５の円周平板３３５ａの下面が密接し、円周側板３３６ｂの側周面に下部ガイド３３５の円周側板３３５ｂの内周側面が密接する。
【００５７】
上部受盤３２０と下部受盤３３０が上下で嵌合する内部で、上記ストッパー芯３２３の周りで下部側周面カバー３３２の内側となる空間には巻きばね３４０が上下方向に取り付けられている。巻きばね３４０は上記したように、その上端側が上部ガイド３２５で保持され、その下端側が下部ガイド３３５で保持されている。巻きばね３４０は前述したように、構造物ａに振動が伝わるのを防ぐ防振機能を果たす。
【００５８】
次に、上記発明を実施するための形態−２の構成に基づく使用について以下説明する。
先ず、構造物の防振装置３の上部受盤３２０を上方から下部受盤３３０に嵌合し、上部受盤３２０と下部受盤３３０との間で、下部受盤３３０の下部受け板３３３の貫通孔３３３ａを中心に、上部受盤３２０のストッパー芯３２３を中心として所定の方向に旋回して、上部受盤３２０と下部受盤３３０を上下で一致させる。そのあと、防振装置３を構造物ａとその下側の基礎ｂとの隙間に設置する。
【００５９】
防振装置３の上部受盤３２０と上下に嵌合する下部受盤３３０を基礎ｂに固定する。基礎ｂにはアンカーボルトの先端側が突出しているので、その突出先端側が下部受盤３３０のベースプレート３３１の各アンカーボルト取付孔３３１ｂに挿通するように取り付け、ベースプレート３３１の各アンカーボルト取付孔３３１ｂから突出するアンカーボルトの先端側にナットを螺合して締め付けて、防振装置３の下部側の下部受盤３３０を基礎ｂの上に固定する。
【００６０】
基礎ｂに固定された防振装置３の上部側となる上部受盤３２０の上部受け板３２１の上にレベル調整用シム３２４を取り付け、その上に構造物ａの下面側を載せ、レベル調整用シム３２４によりレベル高さを調整する。それから、ボルトにより、構造物ａの下面側をレベル調整用シム３２４を載せた防振装置３の上部受盤３２０の上部受け板３２１に固定する。
【００６１】
この作業は、レベル調整用シム３２４、上部受け板３２１及びストッパー芯３２３のそれぞれ対応するボルト挿通孔３２４ａ，３２４ｂ、ボルト取付孔３２１ａ及びボルト取付孔３２３ｂに、その上方の構造物ａの下部側からボルトを貫通させ、上部受け板３２１のボルト取付孔３２１ａ及びストッパー芯３２３のボルト取付孔３２３ｂに螺合して締め付けて固定する。なお、ストッパー芯３２３に空洞３２３ｃが形成されている場合にはボルト取付孔３２３ｂ及びボルト挿通孔３２４ｂが形成されていないので、この孔へのボルトの螺合と締め付け作業はない。
以上取り付け作業により、構造物ａの下面と基礎ｂとの隙間に防振装置３が設置されることになる。
【００６２】
このようにして、構造物ａの下面と基礎ｂとの隙間に設置された防振装置３は、地震などが生じて基礎ｂから伝わる振動は、防振装置３の内部の巻きばね３４０が上下に振動することで、構造物ａに対して防振機能を達成して、構造物ａに作用する揺れを可能な限りに小さくすることができる。また、巻きばね３４０の下部側が支持される減衰材３３６が上下に振動する巻きばね３４０の振動を吸収することで減衰機能を果たすことができる。
【００６３】
また、構造物ａに上向きの外力が作用するときには、防振装置３の上部受盤３２０が上向きに力を受けて、上部受盤３２０の上部受け板３２１に下向きに延設したストッパー芯３２３はその下端側が上向きに移動しようとするが、ストッパー芯３２３の下端側には突起側周面３２３ａが形成されているため、この突起側周面３２３ａの突出する上縁側が下部受盤３３０の下部受け板３３３に形成されている貫通孔３３３ａの段差周縁３３３ｃに当接することで、ストッパー芯３２３の上動が阻止される。つまり、ストッパー芯３２３を通じて下部受盤３３０の下部受け板３３３に上向きに作用する外力は、下部受盤３３０の下部受け板３３３がベースプレート３３１を通じて基礎ｂに固持されているために、阻止されるのである。
【００６４】
このため、上部受盤３２０は、このストッパー芯３２３を介して基礎ｂに固定されている下部受盤３３０に保持され、上方への移動が阻止されるので、構造物ａは上部受盤３２０及び下部受盤３３０からなる防振装置３により、上向き移動及びこれに伴う転倒が防止される。
【００６５】
さらに、構造物ａに横揺れが作用する場合にあっては、上部受盤３２０に下向きに延設されたストッパー芯３２３の下部側が下部受盤３３０の下部受け板３３３の貫通孔３３３ａに貫通していて、ストッパー芯３２３の下部側の側周面が貫通孔３３３ａの内周側面に当接することで、水平方向への移動が阻止されるので、構造物ａは上部受盤３２０及び下部受盤３３０からなる防振装置３により、水平向きの横移動が防止される。
【００６６】
〈実施の形態−３〉
図１、図６において、構造物の防振装置５は、構造物ａとその下側の基礎ｂとの間に設置されて構造物ａの防振などを果たすもので、特に、防振機能、減衰機能、横移動防止機能及び転倒防止機能をコンパクトに備えた装置である。この防振装置５は上部受盤５２０を下部受盤５３０に揺動自在に取り付け、その内部には防振機能と減衰機能を果たす皿ばね５４０が内装されている。
【００６７】
上部受盤５２０は、上面及び上部側周面が閉塞され、下面が開口された筒状の形状で、例えば平面からみて円形の直径に比べて高さが小さい円筒形の外形を有している。上部受盤５２０の閉塞する上面及び上部側周面には上面側周面カバー５２１が取り付けられている。上面側周面カバー５２１は上面の周縁側が下向きに曲げられ側周面に続いている。
【００６８】
上面側周面カバー５２１の上面中央には孔が形成され、この孔の周囲の上面には円形環状の上部受け板５２２が取り付けられている。上部受け板５２２は、上部側の構造物ａを支える機能を果たす。
【００６９】
下面が開口する例えば円筒形の上部受盤５２０の内部には、その上面側周面カバー５２１の中央に形成された孔内部に中央部分が挿着されて下向きにストッパー芯５２３が延設されている。ストッパー芯５２３の中央部分の上端周縁は上部受け板５２２の中央孔周縁に例えば溶接などで固設されている。ストッパー芯５２３は弾性を有し、弾性の例えば金属材が使用され、下向きに延設されたストッパー芯５２３の下部側は横方向に僅かに弾性変位する。
【００７０】
上部受盤５２０は上面側周面カバー５２１の側周面下端が内部の皿ばね５４０によって、下部受盤５３０の表面から浮いている状態で取り付けられている。これにより上部受盤５２０はストッパー芯５２３を支点として揺動することが可能となっている。
【００７１】
下向きに延設されたストッパー芯５２３の下端は、上部受盤５２０の上面側周面カバー５２１の側周面下端より下向きに突出するように形成されている。つまり上面側周面カバー５２１の側周面の上下長さよりストッパー芯５２３の上下長さの方が長い。また、上面側周面カバー５２１の側周面下端よりさらに下向きに突出するストッパー芯５２３の下端側の側周面には、側方に突出する突起側周面５２３ａが形成されている。
【００７２】
この突起側周面５２３ａの側方に突起する上縁側が、後記の下部受盤５３０の貫通孔５３０ａと下部段差貫通孔５３０ｂとの境の段差周縁５３０ｃに当接して上下で係合することで、ストッパー芯５２３は上向きに抜け出ることが阻止され、このストッパー芯５２３の阻止を通じて上部受盤５２０は上方に移動するのが防がれて、上部受盤５２０に支持される構造物ａが転倒するのが防がれる。
【００７３】
また、突起側周面５２３ａの上部側のこれよりも直径が小さいストッパー芯５２３の側周面が、後記の下部受盤５３０の貫通孔５３０ａの内周側面に接触することで、ストッパー芯５２３は水平方向に移動することが阻止され、このストッパー芯５２３の阻止を通じて上部受盤５２０は水平方向に移動するのが防がれて、上部受盤５２０に支持される構造物ａが水平方向に横移動するのが防がれる。
【００７４】
下向きに延設されたストッパー芯５２３は例えば円筒形状の外形をしている。ストッパー芯５２３は、内部が中実でその上部中央には上部の構造物ａの下面側に支持連結するためのボルト取付孔５２３ｂが形成されている。このボルト取付孔５２３ｂと同じ箇所に対応する上部側の円形環状の上部受け板５２２は円形中央が開口されていて、ボルト取付孔５２３ｂが形成されている箇所のストッパー芯５２３の上端の一部が露出している。
【００７５】
上部受盤５２０の上部受け板５２２の上部側には構造物ａの下面側が位置しており、上部受け板５２２の上面には例えばレベル調整用シム５２４が敷かれる。上部受盤５２０の上部受け板５２２はこのレベル調整用シム５２４を介して構造物ａの下面を支持する構造になっている。レベル調整用シム５２４は上部受盤５２０の上部受け板５２２と構造物ａの下面との隙間高さを調整するものである。平面からみて上部受け板５２２が円形の場合、レベル調整用シム５２４も円形の形状を有している。ストッパー芯５２３の上記ボルト取付孔５２３ｂと同じ箇所に対応するレベル調整用シム４２４にはボルト挿通孔４２４ａが形成されている。
【００７６】
上面側周面カバー５２１の下部側の中央部位でストッパー芯５２３の上端外周には例えば円形環状のスペーサー５２５が、上面側周面カバー５２１の下面に当接するように取り付けられている。円形環状のスペーサー５２５の中央の円形孔にはストッパー芯５２３の上部側が貫通している。スペーサー５２５は皿ばね５４０の上端を押止する機能を果たす。
【００７７】
このスペーサー５２５の下面側と皿ばね５４０の上端との間には、例えば円形環状のスペーサー当て板５２５ａが取り付けられている。スペーサー当て板５２５ａはスペーサー５２５が磨耗によって磨り減り、その高さが低くなって変わるのを防ぐ機能を果たす。
【００７８】
下部受盤５３０には厚みのあるベースプレートなどが使用され、例えば平面からみて下部受盤５３０は長方形状の形状を有し、下部受盤５３０の下部側は構造物ａを支える基礎ｂになっており、下部受盤５３０の下面の中央部分の貫通孔５３０ａには例えばパッキン５３２がこれを塞ぐように装着される。
【００７９】
下部受盤５３０の中央には、ストッパー芯５２３の下端の突起側周面５２３ａの外径よりも内径が大きな貫通孔５３０ａが形成され、上方から下向きに延設されたストッパー芯５２３の下端側が接触しない構造になっている。また、上部受盤５２０の外部側の下部受盤５３０の周囲には複数のアンカーボルト取付孔５３１が形成されている。下部受盤５３０は各アンカーボルト取付孔５３１に取り付けられて基礎ｂに支持されるアンカーボルトにより、基礎ｂの上に固定される。下部受盤５３０は皿ばね５４０の下端を下側から支える。皿ばね５４０の下端を支える下部受盤５３０はその下側の基礎ｂによって支持される。
【００８０】
下部受盤５３０の中央には、ストッパー芯５２３が接触しない隙間で貫通できる貫通孔５３０ａが形成されている。この貫通孔５３０ａの下部は、これより少し外径が大きい下部段差貫通孔５３０ｂが形成されている。上側の貫通孔５３０ａと下部段差貫通孔５３０ｂの境部分には、下向きに水平な段差周縁５３０ｃが形成されている。段差周縁５３０ｃは下向きになっている。貫通孔５３０ａの内径はストッパー芯５２３の中間側の側周面の外径より少し大きくて接触しない。その一方で貫通孔５３０ａの内径はストッパー芯５２３の突起側周面５２３ａの外径より小さい。この下向きの段差周縁５３０ｃに上記のストッパー芯５２３の突起側周面５２３ａの突起する上縁側が当接して上下で係合することで、上記したようにストッパー芯５２３が上向きに抜けるのが阻止されるのである。
【００８１】
上部受盤５２０と下部受盤５３０が上下で囲む内部空間には例えば複数の皿ばね５４０が上下に重ねられて取り付けられている。皿ばね５４０は前述したように、構造物ａに振動が伝わるのを防ぐ防振機能と、構造物に伝わる振動を弱める減衰機能を果たす。
【００８２】
皿ばね５４０は、ばねの振動により防振機能を果たす。これとともに皿ばね５４０は、中央に向かって上向き傾斜、或いはこれを逆にすると中央に向かって下向き傾斜する形状になっているため、上下に振動を受けた場合において、荷重が作用して上下方向に圧縮される場合の圧力増加の曲線と、荷重が抜けて圧縮されたものが元に戻る場合の圧力減少の曲線とは同じ曲線にならない。これが減衰機能を果たす。
【００８３】
すなわち、圧力増加の曲線は斜め直線に対してその上側の斜め凸状を描きながら増加していく。これに対し、圧力減少の曲線は斜め直線に対してその下側の斜め凹状を描きながら減少していく。この斜め直線に対する上側の斜め凸状曲線とその斜め直線に対する下側の斜め凹状曲線との差の分が減衰となるのである。なお、圧力増加曲線と圧力減少曲線が同じ曲線上をたどる場合には減衰機能は生じない。
【００８４】
次に、上記発明を実施するための形態−３の構成に基づく使用について以下説明する。
先ず、構造物の防振装置５の上部受盤５２０を上方から下部受盤５３０に嵌合し、上部受盤５２０と下部受盤５３０との間で、下部受盤５３０の貫通孔５３０ａを中心に、上部受盤５２０のストッパー芯５４３を中心として所定の方向に旋回して、上部受盤５２０と下部受盤５３０を上下で一致させる。そのあと、防振装置５を構造物ａとその下側の基礎ｂとの隙間に設置する。
【００８５】
防振装置５の上部受盤５２０と上下に嵌合する下部受盤５３０を基礎ｂに固定する。基礎ｂにはアンカーボルトの先端側が突出しているので、その突出先端側が下部受盤５３０の各アンカーボルト取付孔５３１に挿通するように取り付け、下部受盤５３０の各アンカーボルト取付孔５３１から突出するアンカーボルトの先端側にナットを螺合して締め付けて、防振装置５の下部側の下部受盤５３０を基礎ｂの上に固定する。
【００８６】
基礎ｂに固定された防振装置５の上部側となる上部受盤５２０の上部受け板５２２の上にレベル調整用シム５２４を取り付け、その上に構造物ａの下面側を載せ、レベル調整用シム５２４によりレベル高さを調整する。それから、ボルトにより、構造物ａの下面側をレベル調整用シム５２４を載せた防振装置５の上部受盤５２０の上部受け板５２２に固定する。
【００８７】
この作業は、レベル調整用シム５２４のボルト挿通孔５２４ａ及びボルト取付孔５２３ｂに、その上方の構造物ａの下部側からボルトを貫通させ、ストッパー芯５２３のボルト取付孔５２３ｂに螺合して締め付けて固定する。
以上取り付け作業により、構造物ａの下面と基礎ｂとの隙間に防振装置５が設置されることになる。
【００８８】
このようにして、構造物ａの下面と基礎ｂとの隙間に設置された防振装置５は、地震などが生じて基礎ｂから伝わる振動は、防振装置５の内部の皿ばね５４０が上下に振動することで、構造物ａに対して防振機能と減衰機能を達成して、構造物ａに作用する揺れを可能な限りに小さくすることができる。
【００８９】
また、構造物ａに上向きの外力が作用するときには、防振装置５の上部受盤５２０が上向きに力を受けて、上部受盤５２０の上面側周面カバー５２１から下向きに延設したストッパー芯５２３は、その下端側が上向きに移動しようとするが、ストッパー芯５２３の下端側には突起側周面５２３ａが形成されているため、この突起側周面５２３ａの突出する上縁側が下部受盤５３０に形成されている貫通孔５３０ａの段差周縁５３０ｃに当接することで、ストッパー芯５２３の上動が阻止される。つまり、ストッパー芯５２３を通じて下部受盤５３０に上向きに作用する外力は、下部受盤５３０が基礎ｂに固持されているために、阻止されるのである。
【００９０】
このため、上部受盤５２０は、このストッパー芯５２３を介して基礎ｂに固定されている下部受盤５３０に保持され、上方への移動が阻止されるので、構造物ａは上部受盤５２０及び下部受盤５３０からなる防振装置５により、上向き移動及びこれに伴う転倒が防止される。
【００９１】
さらに、構造物ａに横揺れが作用する場合にあっては、上部受盤５２０に下向きに延設されたストッパー芯５２３の下部側が下部受盤５３０の貫通孔５３０ａに貫通していて、ストッパー芯５２３の下部側の側周面が貫通孔５３０ａの内周側面に当接することで、水平方向への移動が阻止されるので、構造物ａは上部受盤５２０及び下部受盤５３０からなる防振装置５により、水平向きの横移動が防止される。
【００９２】
なお、この発明は上記発明を実施するための形態１〜３に限定されるものではなく、この発明の精神を逸脱しない範囲で種々の改変をなし得ることは勿論である。
【符号の説明】
【００９３】
１    防振装置
１２０    上部受盤
１２１    上部受け板
１２１ａ  ボルト取付孔
１２２    上部側周面カバー
１２３    ストッパー芯
１２３ａ  突起側周面
１２３ｂ  ボルト取付孔
１２３ｃ  空洞
１２４    レベル調整用シム
１２４ａ  ボルト挿通孔
１２４ｂ  ボルト挿通孔
１２５    スペーサー
１３０    下部受盤
１３１    ベースプレート
１３１ａ  中央孔
１３１ｂ  アンカーボルト取付孔
１３２    下部側周面カバー
１３３    下部受け板
１３３ａ  貫通孔
１３３ｂ  下部段差貫通孔
１３３ｃ  段差周縁
１３４    パッキン
１４０    皿ばね
３    防振装置
３２０    上部受盤
３２１    上部受け板
３２１ａ  ボルト取付孔
３２２    上部側周面カバー
３２３    ストッパー芯
３２３ａ  突起側周面
３２３ｂ  ボルト取付孔
３２３ｃ  空洞
３２４    レベル調整用シム
３２４ａ  ボルト挿通孔
３２４ｂ  ボルト挿通孔
３２５    上部ガイド
３２５ａ  円周平板
３２５ｂ  円周側板
３３０    下部受盤
３３１    ベースプレート
３３１ａ  中央孔
３３１ｂ  アンカーボルト取付孔
３３２    下部側周面カバー
３３３    下部受け板
３３３ａ  貫通孔
３３３ｂ  下部段差貫通孔
３３３ｃ  段差周縁
３３４    パッキン
３３５    下部ガイド
３３５ａ  円周平板
３３５ｂ  円周側板
３３６    減衰材
３３６ａ  円周平板
３３６ｂ  円周側板
３４０    巻きばね
５    防振装置
５２０    上部受盤
５２１    上面側周面カバー
５２２    上部受け板
５２３    ストッパー芯
５２３ａ  突起側周面
５２３ｂ  ボルト取付孔
５２４    レベル調整用シム
５２４ａ  ボルト挿通孔
５２５    スペーサー
５２５ａ  スペーサー当て板
５３０    下部受盤
５３０ａ  貫通孔
５３０ｂ  下部段差貫通孔
５３０ｃ  段差周縁
５３１    アンカーボルト取付孔
５３２    パッキン
５４０    皿ばね
ａ    構造物
ｂ    基礎
９１０    巻きばね
９２０    減衰装置
９３０    転倒ストッパー（鉛直）
９３１    本体カバー
９３２    ナット部
９４０    移動防止ストッパー（水平）
Ｈ    隙間調整
【図１】
2019019850.tif 000003
【図２】
2019019850.tif 000004
【図３】
2019019850.tif 000005
【図４】
2019019850.tif 000006
【図５】
2019019850.tif 000007
【図６】
2019019850.tif 000008
【図７】
2019019850.tif 000009
【図８】
2019019850.tif 000010
【図９】
2019019850.tif 000011
【図１０】
2019019850.tif 000012
【図１１】
2019019850.tif 000013
【手続補正書】
【提出日】平成30年11月5日(2018.11.5)
【手続補正１】
【補正対象書類名】特許請求の範囲
【補正対象項目名】請求項２
【補正方法】変更
【補正の内容】
【請求項２】
構造物とその下側の基礎との間に設置される防振装置の上部側を構成する上部受盤をその下部側を構成する下部受盤に揺動自在に取り付け、上部受盤の内部中央から下向きにストッパー芯を延設し、ストッパー芯の下端側の側周面を側方に突出する突起側周面に形成し、ストッパー芯の下部側が遊嵌状に貫通する貫通孔を下部受盤の下部受け板に形成し、ストッパー芯の下端側の突起側周面と係合する下部段差貫通孔を貫通孔の下部に形成し、上部受盤と下部受盤の内部のストッパー芯の外周側に巻きばねを上下方向に弾持して取り付け、巻きばねの下部側を支持して巻きばねを減衰する減衰材を取り付けたことを特徴とする構造物の防振装置。
【手続補正２】
【補正対象書類名】明細書
【補正対象項目名】０００７
【補正方法】変更
【補正の内容】
【０００７】
また、請求項２の発明は、構造物とその下側の基礎との間に設置される防振装置の上部側を構成する上部受盤をその下部側を構成する下部受盤に揺動自在に取り付け、上部受盤の内部中央から下向きにストッパー芯を延設し、ストッパー芯の下端側の側周面を側方に突出する突起側周面に形成し、ストッパー芯の下部側が遊嵌状に貫通する貫通孔を下部受盤の下部受け板に形成し、ストッパー芯の下端側の突起側周面と係合する下部段差貫通孔を貫通孔の下部に形成し、上部受盤と下部受盤の内部のストッパー芯の外周側に巻きばねを上下方向に弾持して取り付け、巻きばねの下部側を支持して巻きばねを減衰する減衰材を取り付けた手段よりなるものである。